【手続補正書】
【提出日】平成29年1月12日(2017.1.12)
【手続補正１】
【補正対象書類名】特許請求の範囲
【補正対象項目名】全文
【補正方法】変更
【補正の内容】
【特許請求の範囲】
【請求項１】
下記を含む、エネルギー消費が低減された、改善された連続的溶液重合プロセス：
ｉ）温度及び圧力で操作されている少なくとも１つのアップストリーム反応器中に、エチレン、１以上の脂肪族炭化水素溶媒、触媒、任意の１以上のα−オレフィン及び任意の水素を注入して、単一液相溶液中でエチレンポリマーを生成すること；
ｉｉ）エチレン、溶媒、触媒、エチレンポリマー、任意のα−オレフィン及び任意の水素を含む単一液相溶液中に、前記アップストリーム反応器のダウンストリームで、触媒不活性化剤を注入して、不活性化反応器溶液を形成すること；
ｉｉｉ）不活性化反応器溶液を熱交換器に通過させて、温度を上昇させて、次に圧力を低減させ、次にＶ／Ｌ分離器中でエチレンポリマー濃厚溶媒、不活性化触媒及び任意のα−オレフィンのボトムストリーム並びにエチレン、溶媒、オリゴマー、任意のα−オレフィン、及び任意の水素のガス状オーバーヘッドストリームを生成すること；
ｉｖ）４０％以下のガス状オーバーヘッドストリームを蒸留カラムに通過させること；
ｖ）残りのガス状オーバーヘッドストリームをハロゲン化物除去カラムに通過させて、次に温度を低減させることによりガス状オーバーヘッドストリームを凝縮して、凝縮オーバーヘッドストリームを形成すること；
ｖｉ）凝縮オーバーヘッドストリームをオリゴマー除去手段に通過させ、冷却再利用ストリームを生成すること；
ｖｉｉ）冷却再利用ストリームを光分離器に通過させて、揮発性成分を除去して、排出再利用ストリームを生成すること；
ｖｉｉｉ）少なくとも２つの精製容器に排出再利用ストリームを通過させ、精製再利用ストリームを生成すること；
ｉｘ）再利用ドラムに精製再利用ストリームを集め、精製再利用ストリームをポンプに通過させ、前記アップストリーム反応器に高圧再利用ストリームを注入すること；
工程を含む、エネルギー消費が低減された、改善された連続的溶液重合プロセス。
【請求項２】
前記アップストリーム反応器が１００℃〜３００℃の温度及び３ＭＰａ〜４５ＭＰａの圧力で操作される、請求項１に記載のプロセス。
【請求項３】
前記アップストリーム反応器が１２５℃〜２７０℃の温度で操作される、請求項２に記載のプロセス。
【請求項４】
前記アップストリーム反応器が６ＭＰａ〜２０ＭＰａの圧力で操作される、請求項３に記載のプロセス。
【請求項５】
工程ｉｉｉ）における前記熱交換器の出口における不活性化反応器溶液の温度が１５０℃〜３００℃である、請求項４に記載のプロセス。
【請求項６】
工程ｉｉｉ）における前記熱交換器の出口における不活性化反応器溶液の温度が２２０℃〜２８０℃である、請求項５に記載のプロセス。
【請求項７】
前記Ｖ／Ｌ分離器の温度が１００℃〜３００℃である、請求項６に記載のプロセス。
【請求項８】
前記Ｖ／Ｌ分離器の圧力が１ＭＰａ〜２０ＭＰａである、請求項７に記載のプロセス。
【請求項９】
工程ｖ）において生成される凝縮オーバーヘッドストリームが１４５℃〜１８０℃の温度及び０．５ＭＰａ〜５ＭＰａの圧力である、請求項８に記載のプロセス。
【請求項１０】
工程ｖｉ）において生成される冷却再利用ストリームが−２５℃〜６０℃の温度である請求項９に記載のプロセス。
【請求項１１】
工程ｉｘ）において生成される前記高圧力再利用ストリームが３ＭＰａ〜４５ＭＰａの圧力である、請求項１０に記載のプロセス。
【請求項１２】
脂肪族炭化水素溶媒が１以上のＣ５〜Ｃ１２アルカンであり；該アルカンは直鎖又は分枝である、請求項１１に記載のプロセス。
【請求項１３】
任意のα−オレフィンが１以上のＣ４〜Ｃ８α−オレフィンである、請求項１２に記載のプロセス。
【請求項１４】
任意のα−オレフィンが１−ヘキセン及び１−オクテンからなる群から選択される、請求項１３に記載のプロセス。
【請求項１５】
工程ｉｘ）において形成される０％〜１００％の高圧力再利用ストリームが第１のアップストリーム反応器に供給され、及び残りの高圧力再利用ストリームが第２のアップストリーム反応器に供給される、請求項１４に記載のプロセス。
【請求項１６】
エチレン及び任意のα−オレフィンを重合するために使用される触媒が不均一系触媒である、請求項１５に記載のプロセス。
【請求項１７】
エチレン及び任意のα−オレフィンを重合するために使用される触媒が均一系触媒である、請求項１５に記載のプロセス。
【請求項１８】
均一系触媒は前記第１のアップストリーム反応器に供給され、不均一系触媒は前記第２のアップストリーム反応器に供給される、請求項１５に記載のプロセス。
【請求項１９】
請求項１〜１８のいずれか一項に記載のプロセスを実施することを含む、エチレンポリマーを製造する方法。
【請求項２０】
下記を含む、エネルギー消費が低減された、改善された連続的溶液重合プロセス
ｉ）温度及び圧力で操作されている少なくとも１つのアップストリーム反応器中に、エチレン、１以上の脂肪族炭化水素溶媒、触媒、任意の１以上のα−オレフィン及び任意の水素を注入して、単一液相溶液中でエチレンポリマーを生成すること；
ｉｉ）エチレン、溶媒、触媒、エチレンポリマー、任意のα−オレフィン及び任意の水素を含む単一液相溶液中に、触媒不活性化剤、前記アップストリーム反応器のダウンストリームで、触媒不活性化剤を注入して、不活性化反応器溶液を形成すること；
ｉｉｉ）不活性化反応器溶液を熱交換器に通過させて、温度を上昇させて、次に圧力を低減させ、次にＶ／Ｌ分離器中で、エチレンポリマー濃厚溶媒、不活性化触媒及び任意のα−オレフィンのボトムストリーム並びにエチレン、溶媒、オリゴマー、任意のα−オレフィン、及び任意の水素のガス状オーバーヘッドストリームを生成すること；
ｉｖ）４０％以下のガス状オーバーヘッドストリームを蒸留カラムに通過させること；
ｖ）残りのガス状オーバーヘッドストリームをハロゲン化物除去カラムに通過させて、次に温度を低減させることによりガス状オーバーヘッドストリームを凝縮し、同時に低圧力スチームストリームを生成して、凝縮オーバーヘッドストリームを形成すること；
ｖｉ）凝縮オーバーヘッドストリームをオリゴマー除去手段に通過させ、冷却再利用ストリームを生成すること；
ｖｉｉ）冷却再利用ストリームを光分離器に通過させて、揮発性成分を除去して、排出再利用ストリームを生成すること；
ｖｉｉｉ）少なくとも２つの精製容器に排出再利用ストリームを通過させ、精製再利用ストリームを生成すること；
ｉｘ）再利用ドラムに精製再利用ストリームを集め、精製再利用ストリームをポンプに通過させ、前記アップストリーム反応器に高圧再利用ストリームを注入すること。
【請求項２１】
前記アップストリーム反応器が１００℃〜３００℃の温度及び３ＭＰａ〜４５ＭＰａの圧力で操作される、請求項２０に記載のプロセス。
【請求項２２】
前記アップストリーム反応器が１２５℃〜２７０℃の温度で操作される、請求項２１に記載のプロセス。
【請求項２３】
前記アップストリーム反応器が６ＭＰａ〜２０ＭＰａの圧力で操作される、請求項２２に記載のプロセス。
【請求項２４】
工程ｉｉｉ）における前記熱交換器の出口における不活性化反応器溶液の温度が１５０℃〜３００℃である、請求項２３に記載のプロセス。
【請求項２５】
工程ｉｉｉ）における前記熱交換器の出口における不活性化反応器溶液の温度が２２０℃〜２８０℃である、請求項２４に記載のプロセス。
【請求項２６】
前記Ｖ／Ｌ分離器の温度が１００℃〜３００℃である、請求項２５に記載のプロセス。
【請求項２７】
前記Ｖ／Ｌ分離器の圧力が１ＭＰａ〜２０ＭＰａである、請求項２６に記載のプロセス。
【請求項２８】
工程ｖ）において生成される凝縮オーバーヘッドストリームが１４５℃〜１８０℃の温度及び０．５ＭＰａ〜５ＭＰａの圧力である、請求項２７に記載のプロセス。
【請求項２９】
工程ｖｉ）において生成される冷却再利用ストリームが−２５℃〜６０℃の温度である請求項２８に記載のプロセス。
【請求項３０】
工程ｉｘ）において生成される前記高圧力再利用ストリームが３ＭＰａ〜４５ＭＰａの圧力である、請求項２９に記載のプロセス。
【請求項３１】
工程ｖ）において形成される前記低圧力スチームストリームが前記連続的溶液重合プロセスから送出され、及びエネルギー回復手段を通過する、請求項３０に記載のプロセス。
【請求項３２】
脂肪族炭化水素溶媒が１以上のＣ５〜Ｃ１２アルカンであり、該アルカンは直鎖又は分枝である、請求項３１に記載のプロセス。
【請求項３３】
任意のα−オレフィンが１以上のＣ４〜Ｃ８α−オレフィンである、請求項３２に記載のプロセス。
【請求項３４】
任意のα−オレフィンが１−ヘキセン及び１−オクテンからなる群から選択される、請求項３３に記載のプロセス。
【請求項３５】
工程ｉｘ）において形成される０％〜１００％の高圧力再利用ストリームが第１のアップストリーム反応器に供給され、及び残りの高圧力再利用ストリームが第２のアップストリーム反応器に供給される、請求項３４に記載のプロセス。
【請求項３６】
エチレン及び任意のα−オレフィンを重合するために使用される触媒が不均一系触媒である、請求項３５に記載のプロセス。
【請求項３７】
エチレン及び任意のα−オレフィンを重合するために使用される触媒が均一系触媒である、請求項３５に記載のプロセス。
【請求項３８】
均一系触媒は前記第１のアップストリーム反応器に供給され、不均一系触媒は前記第２のアップストリーム反応器に供給される、請求項３５に記載のプロセス。
【請求項３９】
請求項２０〜３８のいずれか一項に記載のプロセスを実施することを含む、エチレンポリマーを製造する方法。